(57)【要約】      （修正有）【課題】災害時において断水した際、素早く取り外しでき、持ち運びできる災害用貯水装置を提供する。【解決手段】住宅などに引き込まれる水道本管を分断し、上流本管Ｐ１と下流本管Ｐ２を形成し、この間に災害時用貯水装置を設置する。災害時用貯水装置は、少なくとも２つのタンク１１，１３を１タンク群として構成し、各タンクの上部に、回動可能に流入管１１または流出管１３を設け、さらにタンク１１，１３の底部を連通管１４により連結する。流入管１１は外嵌して両管をつなぐ連結管Ａ１で、上流本管Ｐ１とつなぐ。流出管１３は、同様に連結管Ａ５にて下流本管Ｐ２に連結する。外連結管Ａ１〜Ａ５の両端部の内側に、それぞれ環状の凹部を形成し、その中に環状のリップパッキンを配置する。断水時には、リップパッキンへの圧力が解除され、連結管Ａ１を上流本管Ａ１から抜き取る事ができ、各タンクを独立して扱える様になる。【選択図】図１
0003150294.tif 000002
【実用新案登録請求の範囲】
【請求項１】
上流本管と下流本管の間に設置される少なくとも２つのタンク部を有する災害時用貯水装置であって、上流側の流出管とタンク部の上部に回動可能に設けた流入管とからなる両管に外嵌して両管を繋ぐ連結管と、前記タンク部に連通した他のタンク部の上部において回動可能に設けた流出管と下流側の流入管とからなる両管に外嵌して前記両管を繋ぐ連結管とを有し、各連結管の両端部の内側にパッキンを配置したことを特徴とする災害用貯水装置。
【請求項２】
各連結管の両端部に形成した環状の凹部内に環状のリップパッキンを各々配置したことを特徴とする請求項１に記載の災害用貯水装置。
【請求項３】
タンク部と他のタンク部を収容容器に収納したことを特徴とする請求項１又は２に記載の災害用貯水装置。
【請求項４】
タンク部の上部に回動可能に設けた流入管と、他のタンク部の上部において回動可能に設けた流出管がＬ字状の管であることを特徴とする請求項１〜３のいずれかに記載の災害用貯水装置。
【考案の詳細な説明】
【技術分野】
【０００１】
本考案は、災害に備えて飲料水を貯水するために災害用貯水装置に関する。
【背景技術】
【０００２】
従来から地震災害等で水道が断水した際の非常用の飲料水を貯水しておくための各種の貯水装置が存在しており、衛生上の問題から、住宅内部に引き込まれる給水配管の間に貯水タンクを介在させるのが一般的である。
【先行技術文献】
【特許文献】
【０００３】
【特許文献１】特開２０００−８４３０
【考案の概要】
【考案が解決しようとする課題】
【０００４】
ところで、これらの貯水装置は、緊急時に使用して持ち運びするものであるから、災害等の発生時において給水経路配管から素早く簡単に取り外すことができ、持ち運び易いものが望まれる。本考案は、災害時において断水した際、簡単な作業で素早く持ち運びできる災害用貯水装置を提供することを目的とする。
【課題を解決するための手段】
【０００５】
本考案は、上流本管と下流本管の間に設置される少なくとも２つのタンク部を有する災害時用貯水装置であって、上流側の流出管とタンク部の上部に回動可能に設けた流入管とからなる両管に外嵌して両管を繋ぐ連結管と、前記タンク部に連通した他のタンク部の上部において回動可能に設けた流出管と下流側の流入管とからなる両管に外嵌して前記両管を繋ぐ連結管とを有し、各連結管の両端部の内側にパッキンを配置したことを特徴とする災害用貯水装置である。
【０００６】
この災害用貯水装置であれば、災害時において断水した際には、パッキンへの圧力が解除され、流出管等に外嵌した各連結管は当該管に沿って移動自在となる。すなわち、非断水時には圧力に応じて変形したパッキンの押圧力によって連結管の移動は妨げてられているのに対し、断水時にはパッキンの押圧力が解除されるため、各連結管は移動自在となる。連結管を上流側の流出管から抜き取ってタンク部に設けた流入管側に移動し、上流側の流出管とタンク部に設けた流入管とを分離すると共に、他の連結管を他のタンク部に設けた流出管から抜き取って下流側の流入管側に移動し、下流側の流入管と他のタンク部に設けた流出管とを分離する。そして、タンク部に設けた流入管と他のタンク部に設けた流出管を各々回動して両管の管口を対向させて、タンク部に設けた流入管に位置している連結管を移動させて両管に外嵌することにより、両管を連結することができる。この連結管は、タンク部及び他のタンク部の上部を連結したハンドルになり、タンク部及び他のタンク部を同時に持ち運びできるようになる。
【０００７】
このように、本考案の災害用貯水装置は、災害時において断水した際、複雑な作業を行う必要がなく、極めて簡単な作業で素早く取り外しすることができ、容易に持ち運びできる。
【０００８】
また、各連結管の両端部に形成した環状の凹部内に環状のリップパッキンを各々配置したことを特徴とする災害用貯水装置とするのが好ましい。
【０００９】
また、タンク部と他のタンク部を収容容器に収納したことを特徴とする災害用貯水装置とするのが好ましい。
【考案の効果】
【００１０】
本考案の災害用貯水装置は、災害時において断水した際、複雑な作業を行う必要がなく、極めて簡単な作業で素早く取り外しでき、容易に持ち運びできる。
【図面の簡単な説明】
【００１１】
【図１】本実施例の側面方向一部断面図
【図２】本実施例の平面図
【図３】図２のＡ−Ａ線断面図
【図４】本実施例のソケットの連結部分を示す断面図
【図５】本実施例の取付部を示す断面図
【図６】本実施例の連結管を示す断面図
【図７】本実施例のソケット−タンク間の経路を示す断面図
【図８】本実施例のソケット−タンク間の経路を示す側面図
【考案を実施するための形態】
【００１２】
本考案の災害用貯水装置は、住宅等に引き込まれる水道本管を分断して上流本管と下流本管を形成し、上流本管と下流本管の間に介在させて設置されるものである。基本的に２つのタンク部からなる１組のタンク群を備えるものであるが、このタンク群は単数であっても複数であっても良い。
【００１３】
２つのタンク部からなる１組のタンク群のみからなる災害用貯水装置である場合、上流本管に連結された流出管と、タンク部の上部において回動可能に設けた流入管とに外嵌して両管を繋ぐ連結管と、他のタンク部の上部において回動可能に設けた流出管と、下流本管に連結された流入管とに外嵌して両管を繋ぐ他の連結管とを有し、各連結管の両端部の内側にパッキンを配置したことを特徴とする災害用貯水装置となる。
【００１４】
また、２つのタンク部からなる１組のタンク群を２つ有する災害用貯水装置である場合は、上流本管に連結された流出管と、上流側のタンク群を構成する一のタンク部の上部において回動可能に設けた流入管とに外嵌して両管を繋ぐ連結管を有し、前記タンク群の他のタンク部の上部において回動可能に設けた流出管と、前記タンク群に隣接して下流側に位置する他のタンク群を構成する一のタンク部の上部において回動可能に設けた流入管とに外嵌して両管を繋ぐ連結管を有し、前記他のタンク群を構成する他のタンク部の上部において回動可能に設けた流出管と、下流本管に連結された流入管とに外嵌して両管を繋ぐ他の連結管とを有し、各連結管の両端部の内側にパッキンを配置したことを特徴とする災害用貯水装置となる。
【００１５】
また、２つのタンク部からなる１組のタンク群を３つ以上有する災害時用貯水装置である場合は、上流タンク群、下流タンク群、上流タンク群と下流タンク群の間に位置する１以上の中流タンク群を備え、上流本管に連結された流出管と、上流タンク群を構成する一のタンク部の上部において回動可能に設けた流入管とに外嵌して両管を繋ぐ連結管を有し、前記上流タンク群の他のタンク部の上部において回動可能に設けた流出管と、上流タンク群に隣接する中間タンク群を構成する一のタンク部の上部において回動可能に設けた流入管とに外嵌して両管を繋ぐ連結管を有し、前記中間タンク群を構成する他のタンク部の上部において回動可能に設けた流出管と、下流本管に連結された流入管又は他の中間タンク群を構成する一のタンク群の上部において回動可能に設けた流入管とに外嵌して両管を繋ぐ連結管とを有し、各連結管の両端部の内側にパッキンを配置したことを特徴とする災害用貯水装置となる。
【００１６】
なお、本考案において、上流側の流出管は、上流本管に連結された流出管、又は、他のタンク群を構成するタンク部に回動可能に設けられた流出管を意味し、下流側の流入管は、下流本管に連結された流入管、又は、他のタンク群を構成するタンク部に回動可能に設けられた流入管を意味する。
【実施例】
【００１７】
以下、本考案の実施例を図１〜図８と共に説明する。
【００１８】
図１、２に示すように、本実施例の災害用貯水装置は、上水道配管系統の量水器から屋内配管までの間において、２つのタンク部からなる一組のタンク群１〜４を連結したものである。
【００１９】
上流タンク群１を構成するタンク部１１の上部に回動可能に設けたＬ字状の流入管１２と、ソケットＳを介して上流本管Ｐ１に連結する流出管ＩＰとは、両管に対して外嵌する連結管Ａ１によって連結される。
【００２０】
上流タンク群１のタンク部１１と、タンク部１１に隣接するタンク部１３とは、両タンク部内を連通する連通管１４を介して連結している。流入管１２からタンク部１１に流入した水は連通管１４を通じてタンク部１３に流入する。
【００２１】
上流タンク群１を構成するタンク部１３の上部に回動可能に設けたＬ字状の流出管１５と、中間タンク群２を構成するタンク部２１の上部に回動可能に設けたＬ字状の流入管２２とは、両管に対して外嵌する連結管Ａ２によって連結される。タンク部１３に設けた流出管１５から流出する水は流入管２２を通ってタンク部２１に流入する。
【００２２】
上流タンク群２のタンク部２１と、タンク部２１に隣接するタンク部２３とは、両タンク部内を連通する連通管２４を介して連結している。流入管２２からタンク部２１に流入した水は連通管２４を通じてタンク部２３に流入する。
【００２３】
上流タンク群２を構成するタンク部２３の上部に回動可能に設けたＬ字状の流出管２５と、中間タンク群３を構成するタンク部３１の上部に回動可能に設けたＬ字状の流入管３２とは、両管に対して外嵌する連結管Ａ３によって連結される。タンク部２３に設けた流出管２５から流出する水は流入管３２を通ってタンク部３１に流入する。
【００２４】
上流タンク群３のタンク部３１と、タンク部３１に隣接するタンク部３３とは、両タンク部内を連通する連通管３４を介して連結している。流入管３２からタンク部３１に流入した水は連通管３４を通じてタンク部３３に流入する。
【００２５】
上流タンク群３を構成するタンク部３３の上部に回動可能に設けたＬ字状の流出管３５と、下流タンク群４を構成するタンク部４１の上部に回動可能に設けたＬ字状の流入管４２とは、両管に対して外嵌する連結管Ａ４によって連結される。タンク部３３に設けた流出管３５から流出する水は流入管４２を通ってタンク部４１に流入する。
【００２６】
下流タンク群４のタンク部４１と、タンク部４１に隣接するタンク部４３とは、両タンク部内を連通する連通管４４を介して連結している。流入管４２からタンク部４１に流入した水は連通管４４を通じてタンク部４３に流入する。
【００２７】
下流タンク群４を構成するタンク部４３の上部に回動可能に設けたＬ字状の流出管４５と、ソケットＳを介して下流本管Ｐ２に連結する流入管ＯＰとは、両管に対して外嵌する連結管Ａ５によって連結される。タンク部４３に設けた流出管４５から流出する水は流入管ＯＰを通って下流本管Ｐ２に流入し、建物内部へと導かれる。
【００２８】
なお、ソケットＳの具体的構造は図４に示すとおりである。上流側のソケットＳを代表して説明すれば、流入管ＩＰ及び上流本管Ｐ１を連結するものであり、一端側に上流本管Ｐ１の管口と連通する開口を有すると共に他端側に流入管ＩＰの管口と連通する開口を有するソケット雌部Ｓ１と、ソケット雌部Ｓ１の他端側の開口端内側面に形成された螺子構造部に対して螺着する螺子構造部を外周面に有する筒状のソケット雄部Ｓ２と、ソケット雄部Ｓ２の内周面と流入管ＩＰの外周面の間に配置された環状のリップパッキンＳＰと、ソケット雄部Ｓ２の内周面と流入管ＩＰの外周面の間に配置されると共にリップパッキンＲＰの開口部とソケット雌部Ｓ１の他端部との間に配置されたスペーサーリングＲと、ソケット雄部Ｓ２の内周面と流入管ＩＰの外周面の間に配置されると共に流入管ＩＰの外周面に形成された凹部に係止する断面Ｌ字で環状のストッパＳＳとからなる。なお、下流本管Ｐ２と流入管ＯＰと連結するソケットＳも同構造である。
【００２９】
各タンク群の具体的な構造を説明する。各タンク群は同様の構成を備えており、タンク群３を代表として説明すれば、図３等を参照して（なお、図３はハンドルを構成した使用状態である。）、発泡成型材などの断熱材で構成された収納容器３６内にタンク部３１，３３を収納してなる。収納容器３６は容器本体部３６Ａと蓋部３６Ｂとからなる。隣り合う各収納容器３６は着脱手段を用いて連結又は分離可能である。また、収納容器３６は箱状の開閉可能な外容器Ｂ内に収容される（図１参照）。なお、タンク、収納容器、外容器は一体であっても別体であっても良い。
【００３０】
タンク部３１は、タンク部３１のキャップとなる椀状の上部３１Ｕと、上部３１Ｕに対して接着剤等で固着された筒状の中部３１Ｍと、中部３１Ｍの下方に接着剤等で固着された椀状の下部３１Ｄからなる。同様に、タンク部３３は、タンク部３３のキャップとなる椀状の上部３３Ｕと、上部３３Ｕに対して接着剤等で固着された筒状の中部３３Ｍと、中部３３Ｍの下方に接着剤等で固着された椀状の下部３３Ｄからなる。タンク部３１の下部３１Ｄと、他のタンク部３３の下部３３Ｄとはコ字状の連通管３４を介して連結される。各タンク部の容量は、１日の使用量を考慮して、３．０リットルに設定している。
【００３１】
タンク部３１の上部３１Ｕには、取付部Ｉを介して流入管３２が回動可能に設けられている。取付部Ｉは、図５等に示すとおり、流入管３２に外嵌する筒状又は環状の各部材からなる。各部材は、タンク部３１の上部３１Ｕに形成した開口に挿入された取付本体部３２１と、取付本体部３２１の下端に形成されたフランジ部３２１Ｆとタンク上部３１Ｕの内側面の間隙に配置される内側パッキン３２２と、取付本体部３２１の広径部の内周面と流入管３２の外周面との間に設置されるリップパッキン３２３と、取付本体部３２１の広径部の内周面と流入管３２の外周面との間に設置されると共に流入管３２の外周面に形成された凹部に係止するストッパ３２４と、取付本体部３２１の外周面に形成されたネジ構造部と螺着する螺子構造部を内周面に形成すると共に取付本体部３２１に螺着してストッパ３２４の位置を固定するキャップ部３２５と、フランジ部３２５Ｆとタンク上部３１Ｕの外側面の間隙に配置される外側パッキン３２６とからなる。この取付部Ｉにより流入管３２は回動自在な構成とすることができる。
【００３２】
各連結管Ａ１〜Ａ５は同様の構成を備える。図６に示すとおり、連結管の両端部の内側面にそれぞれ環状の凹部Ｈを形成し、凹部Ｈに環状のリップパッキンＲＰを配置している。また、移動動作をスムーズに行えるよう、各連結管の両端部は他の部分に比較して口径をやや大きくしている。具体的には端部をＲ状に形成している。なお、リップパッキンＲＰは、Ｕ型またはＶ型が好適に用いられる。
【００３３】
この災害時用貯水装置であれば、災害時において断水した際には、各リップパッキンＲＰへの圧力が解除され、流出管ＩＰに外嵌した各連結管Ａ１等は当該管に沿って移動自在となる。例えば、連結管Ａ１を上流本管Ｐ１に連結した流出管ＩＰから抜き取ってタンク部１１に設けた流入管１２側に移動し、流出管ＩＰとタンク部１１に設けた流入管１２とを分離すると共に、連結管Ａ２を他のタンク部１３に設けた流出管１５から抜き取って下流側の流入管２２側に移動し、流入管２２とタンク部１３に設けた流出管１５とを分離する。そして、図２の矢印で示すように、タンク部１１に設けた流入管１２と他のタンク部１３に設けた流出管１５を各々９０°回動して両管の管口を対向させ、タンク部１１に設けた流入管１２に位置している連結管Ａ１を流出管１５方向に移動させて両管に外嵌することにより両管を連結することができる。この連結管Ａ１は、タンク部１１及び他のタンク部１３の上部を連結したハンドルになり、タンク部１１及び他のタンク部１３を同時に持ち運びできるようになる。
【００３４】
このようなものであると、戸建や集合住宅に限らず、また、新築や後施工にも限らず、災害時において断水した際に簡単な操作で素早く取り外すことができ、容易に持ち運びできる。
【００３５】
また、図１、２等に示す各タンク郡間に配置されたスペーサーＣは、図３、６に示すとおり、タンク流入管３２及びタンク流出管３５の両管口にそれぞれ嵌合するキャップＣを兼用するものであり、これによって転倒時の漏水を防止することができる。
【００３６】
さらに、飲料水を使用する際には、タンク流入管１２及びタンク流出管１５のいずれかを注ぎ口とする一方、他方をエア抜きとして利用できることに加え、注ぎ口が回動するので使い勝手が非常に良い。
【００３７】
そのうえ、各タンク部を発泡部材で構成した収納容器内に収納することにより、屋外に設置した場合でも破損や水温変化に対して優れた効果を発揮する。
【００３８】
また、各タンク部は、各パッキンによって密封されているため、常時衛生上問題のない清潔な飲料水が確保できる。
【符号の説明】
【００３９】
Ｐ１  上流本管
Ｐ２  下流本管
１〜４  タンク群
１１  タンク部
１２  流入管
１３  タンク部
１４  連通管
１５  流出管
２１  タンク部
２２  流入管
２３  タンク部
２４  連通管
２５  流出管
３１  タンク部
３２  流入管
３３  タンク部
３４  連通管
３５  流出管
３６  収納容器
４１  タンク部
４２  流入管
４３  タンク部
４４  連通管
４５  流出管
Ａ１  連結管
Ａ２  連結管
Ａ３  連結管
Ａ４  連結管
Ａ５  連結管
Ｓ  ソケット
ＲＰ  リップパッキン
【図１】
0003150294.tif 000003
【図２】
0003150294.tif 000004
【図３】
0003150294.tif 000005
【図４】
0003150294.tif 000006
【図５】
0003150294.tif 000007
【図６】
0003150294.tif 000008
【図７】
0003150294.tif 000009
【図８】
0003150294.tif 000010